(57)【要約】【課題】被取付面に形成された配線用開口を通して電子機器用筐体に配線する場合に、配線用開口を隠蔽して配線することができ、外観を向上することができる電子機器用筐体を提供する。【解決手段】直方体状のケース２の背面２ａを取付面とし、ケース２の一側面２ｂに各種接続端子５の接続口５ａを備えた電子機器用筐体１において、ケース２の背面２ａ及び接続端子５の接続口５ａを有する側面２ｂに連続する凹状の配線挿通部６を形成し、被取付面に形成された配線用開口を通して配線する際に電子機器用筐体１の配線挿通部６を配線用開口に合わせて固定し、配線挿通部６に配線を挿通させて電子機器用筐体１の接続端子５に接続する。【選択図】図２
2007059425.tif 000002
【特許請求の範囲】
【請求項１】
直方体状のケースの背面を取付面とし、前記ケースの一側面に各種接続端子の接続口を備えた電子機器用筐体において、前記ケースの背面及び前記接続端子の接続口を有する側面に連続する凹状の配線挿通部を形成したことを特徴とする電子機器用筐体。
【請求項２】
直方体状のケースの背面を取付面とし、前記ケースの一側面に各種接続端子の接続口を備えた電子機器用筐体において、背面及び一側面を開口して形成したカバーを前記ケースの接続端子の接続口を有する側面が隠れて前記接続端子の前方に配線隠蔽用の空間を有するように前記ケースに着脱可能にしたことを特徴とする電子機器用筐体。
【請求項３】
前記カバーを配線接続方向へスライド自在にしたことを特徴とする請求項２に記載の電子機器用筐体。
【発明の詳細な説明】
【技術分野】
【０００１】
本発明は、電子機器用筐体に関する。
【背景技術】
【０００２】
直方体状のケースの背面を取付面とし、ケースの一側面に各種接続端子の接続口を備えた電子機器用筐体は、
電子機器用筐体の周辺に配線を通して接続端子に接続されるが、被取付面に形成された配線用開口を通して電子機器用筐体に配線する場合には、電子機器用筐体の接続端子の接続口近くの被取付面に配線用開口を形成し、この配線用開口に配線を通して接続端子へ接続していた（例えば、特許文献１参照。）。
【０００３】
【特許文献１】特開平１１−１７３６８号公報
【発明の開示】
【発明が解決しようとする課題】
【０００４】
このため、配線用開口が露出し、接続端子に接続される配線も同様に露出するので外観が悪く、また、接続端子を絶縁保護するために端子カバーを別途必要としていた。
【課題を解決するための手段】
【０００５】
本発明は、請求項１に記載の発明によれば、直方体状のケースの背面を取付面とし、ケースの一側面に各種接続端子の接続口を備えた電子機器用筐体において、ケースの背面及び接続端子の接続口を有する側面に連続する凹状の配線挿通部を形成したことを特徴とする。
【０００６】
請求項２に記載の発明によれば、直方体状のケースの背面を取付面とし、ケースの一側面に各種接続端子の接続口を備えた電子機器用筐体において、背面及び一側面を開口して形成したカバーをケースの接続端子の接続口を有する側面が隠れて接続端子の前方に配線隠蔽用の空間を有するようにケースに着脱可能にしたことを特徴とする。
【０００７】
請求項３に記載の発明によれば、請求項２に記載の電子機器用筐体において、カバーを配線接続方向へスライド自在にしたことを特徴とする。
【発明の効果】
【０００８】
請求項１に記載の発明によれば、被取付面に形成された配線用開口を通して電子機器用筐体に配線する場合に配線用開口に電子機器用筐体の配線挿通部を合わせて固定することで配線用開口を隠蔽して配線することができ、外観を向上することができるという効果がある。
【０００９】
請求項２に記載の発明によれば、接続端子を被覆して絶縁保護するとともに、被取付面に形成された配線用開口を通して電子機器用筐体に配線する場合に配線用開口にカバーを合わせて固定することで配線用開口を隠蔽し、また、接続端子に接続された配線を隠蔽することができ、外観を向上することができるという効果がある。
【００１０】
請求項３に記載の発明によれば、請求項２に記載の発明の効果に加えて、配線用開口の大きさや配線の量に応じて配線隠蔽用の空間を増減可能に調整することができるという効果がある。
【発明を実施するための最良の形態】
【００１１】
直方体状のケースの背面を取付面とし、ケースの一側面に各種接続端子の接続口を備えた電子機器用筐体において、ケースの背面及び接続端子の接続口を有する側面に連続する凹状の配線挿通部を形成し、被取付面に形成された配線用開口を通して配線する際に電子機器用筐体の配線挿通部を配線用開口に合わせて固定し、配線挿通部に配線を挿通させて電子機器用筐体の接続端子に接続する。
【実施例１】
【００１２】
本発明に係る電子機器用筐体の実施例１を図１〜図３の添付図面に基づいて説明する。
【００１３】
電子機器用筐体１は、樹脂材料により直方体状にケース２が形成され、ケース２の背面２ａ中央上部にダルマ孔３が形成され、背面２ａ中央下部に前面に貫通する貫通孔４が形成されて、ケース背面２ａを取付面としている。ケース２の一側面２ｂには電源線を接続するためのネジ端子や、ＬＡＮケーブルやＲＳ２３２Ｃケーブルや変流器の出力線を接続するためのコネクタ端子などの各種接続端子５の接続口５ａが設けられている。また、ケース２の背面２ａ及び接続端子５の接続口５ａを有する側面２ｂに連続する凹状の配線挿通部６が形成されている。
【００１４】
このように形成された電子機器用筐体１は、例えば、分電盤７内の機器取付板８や建物の壁面などに取り付けられる。分電盤７内に取り付ける場合は内部に設けられた機器取付板８などに取り付けられ、機器取付板８は、配線９を挿通させるための配線用開口１０が形成され、ケース２の背面２ａを機器取付板８に当接させた際に配線挿通部６が配線用開口１０に合わさる位置においてダルマ孔３と対向する位置に取付ネジ１１がケース２の板厚以上に軸部を突出させて螺合している。取付ネジ１１にダルマ孔３の大径部３ａを挿通させてケース２を機器取付板８に当接させた後、ケース２を下方にずらしてダルマ孔３の小径部３ｂに取付ネジ１１の軸部を嵌め入れ、それから、ケース２の前面から貫通孔４に取付ネジ１２を挿通させて機器取付板８に締め付けることにより固定される。
【００１５】
こうして電子機器用筐体１が固定されると、正面から見た際に配線用開口１０が隠れて外観が向上する。配線用開口１０に機器取付板８の背面から通された配線９は配線挿通部６を挿通させてケース２の接続端子を有する側面２ｂから機器取付板８の前面に引き出された後、折り返して接続端子５の接続口５ａに接続される。
【００１６】
尚、配線挿通部６を通さずに電子機器用筐体１の周囲を通して接続端子５に配線することも勿論可能である。
【実施例２】
【００１７】
本発明に係る電子機器用筐体の実施例２を図４〜図６の添付図面に基づいて説明する。
【００１８】
電子機器用筐体２１は、樹脂材料により直方体状にケース２２が形成され、ケース２２の背面２２ａ中央上部にダルマ孔２３が形成され、背面２２ａ中央下部に前面に貫通する貫通孔２４が形成されて、ケース背面２２ａを取付面としている。ケース２２の一側面２２ｂには電源線を接続するためのネジ端子や、ＬＡＮケーブルやＲＳ２３２Ｃケーブルや変流器の出力線を接続するためのコネクタ端子などの各種接続端子２５の接続口２５ａが設けられている。また、背面及び一側面を開口してケース２２に装着されるカバー３３が形成されている。カバー３３はケース前面２２ａに露出した接続端子２５のネジ２５ｂやケース側面の接続口２２ａを覆い、接続口２２ａの前方に配線隠蔽用の空間を有するようにケース２２に着脱可能に取り付けられる。
【００１９】
このように形成された電子機器用筐体２１は、例えば、分電盤２７内や建物の壁面などに取り付けられる。分電盤２７内に取り付ける場合は内部に設けられた機器取付板２８などに取り付けられ、機器取付板２８は、配線２９を挿通させるための配線用開口３０が形成され、ケース２２の背面２２ａを機器取付板２８に当接させた際に接続端子２５の接続口２５ａの前方が配線用開口３０となる位置においてダルマ孔２３と対向する位置に取付ネジ３１がケース２２の板厚以上に軸部を突出させて螺合している。取付ネジ３１にダルマ孔２３の大径部２３ａを挿通させてケース２２を機器取付板２８に当接させた後、ケース２２を下方にずらしてダルマ孔２３の小径部２３ｂに取付ネジ３１の軸部を嵌め入れ、それから、ケース２２の前面から貫通孔２４に取付ネジ３２を挿通させて機器取付板２８に締め付けることにより固定される。
【００２０】
こうして固定されたケース２２は、配線用開口３０を通して機器取付板２８の背面から前面に引き出された配線２９が接続端子２５の接続口２５ａに接続される。そして、配線が完了したケース２２にカバー３３を取り付けることにより配線用開口３０と配線２９を隠蔽するとともに、接続端子２５を被覆して絶縁保護することができる。
【００２１】
尚、図７に示すようにカバー３３とケース２２に嵌合する突条３４と溝３５を夫々形成し、カバー３３を配線接続方向へスライド自在にすることで、配線用開口の大きさや配線の量に応じて配線隠蔽用の空間を増減させることができる。
【００２２】
また、実施例２と実施例１とを組み合わせて図８に示すようにカバー３３を着脱可能に装着したケース２２の背面及び接続端子の接続口を有する側面に連続する凹状の配線挿通部２６を形成しても良く、また、配線用開口３０を通さずに電子機器用筐体２１の周囲を通して接続端子２５に配線することも勿論可能である。この場合、カバー３３に形成した切欠３３ａに配線２９を通してカバー３３内に配線２９を引き込み、接続端子２５に配線することができる。
【図面の簡単な説明】
【００２３】
【図１】本発明の実施例１に係る電子機器用筐体を示す正面図である。
【図２】本発明の実施例１に係る電子機器用筐体を示し、（ａ）は右側面図、（ｂ）は背面図である。
【図３】本発明の実施例１に係る電子機器用筐体を分電盤に取り付けた状態の正面図である。
【図４】本発明の実施例２に係る電子機器用筐体のケースを示し、（ａ）は正面図、（ｂ）は右側面図である。
【図５】本発明の実施例２に係る電子機器用筐体のケースにカバーを装着した状態を示し、（ａ）は正面図、（ｂ）は下面図である。
【図６】本発明の実施例２に係る電子機器用筐体を分電盤に取り付けた状態の正面図である。
【図７】本発明の実施例２に係る電子機器用筐体の変形実施例を示し、（ａ）は正面図、（ｂ）は下面図である。
【図８】本発明に係る電子機器用筐体の変形実施例を示し、分電盤に取り付けた状態の正面図である。
【符号の説明】
【００２４】
１    電子機器用筐体
２    ケース
５    接続端子
６    配線挿通部
９    配線
１０    配線用開口
【図１】
2007059425.tif 000003
【図２】
2007059425.tif 000004
【図３】
2007059425.tif 000005
【図４】
2007059425.tif 000006
【図５】
2007059425.tif 000007
【図６】
2007059425.tif 000008
【図７】
2007059425.tif 000009
【図８】
2007059425.tif 000010